(57)【要約】  【課題】接点バネが非接続先の接点から脱離し新接続先の接点に最初に接触するまでの距離を増加させずに、接続先の電気信号回路間のアイソレーションを改善する。  【解決手段】電気信号回路の切り替えに際し、接点バネが電気信号回路の基端となる接点と接触したときに、接点バネが新接続先の接点に最初に接触する接触開始点を基点としてねじれ、前接点バネの先端の幅方向を形成する一辺と脱離した非接続側の接点との平均距離が増加する。【選択図】  図１
2008199404.tif 000002
【特許請求の範囲】
【請求項１】
外導体に溝（６）が形成されており、該溝の空間内に中心導体の一部を形成するとともに信号経路を切り替えるための所定の幅を持った板状の接点バネ（２）と、
前記接点バネ（２）が撓曲可能な所定の長さの自由端（２ｃ）を有するように支持する接点バネ支持部（８）と、
前記接点バネ（２）の前記自由端（２ｃ）の一部を押圧し前記接点バネ（２）を撓曲させることで電気信号回路を切り替える押圧手段（１８）と、
前記接点バネ（２）と接離し第一の電気信号回路の基端となる前記外導体の溝（６）の空間内にある第一の接点（１ａ）と、
前記外導体の溝（６）の空間内にあり、前記接点バネ（２）の幅広面を前記第一の接点（１ａ）と挟むように載置され、前記接点バネ（２）と接離し第二の電気信号回路の基端となる第二の接点（１ｂ）と、
前記接点バネ（２）が前記第一の接点（１ａ）と前記第二の接点（１ｂ）のどちらか一方ずつ接触する同軸形伝送線路において、
前記第一の接点（１ａ）または前記第二の接点（１ｂ）の少なくとも一方が、前記接点バネ（２）の幅広面を挟持する前記接点バネ支持部（８）の接点バネ支持面（８ｃ）を拡張した仮想平面に対して前記接点バネ（２）の略長さ方向の軸周りに角度を有して前記接点バネ（２）と接触する接触面（１ｃ）を有しており、前記接点バネ（２）が前記角度をもつ前記接触面（１ｃ）と最初に接触する接触開始点（１ｄ）を基点として前記角度を持つ接触面（１ｃ）に習って前記接点バネ（２）の略長さ方向を軸としてねじれを生ずることを特徴とする同軸形伝送線路。
【請求項２】
前記接点バネ（２）が、前記第一の接点（１ａ）または前記第二の接点（１ｂ）の前記角度を有する前記接触面（１ｃ）に接触したとき、前記接点バネ（２）の前記自由端（２ｃ）の先端の幅方向を形成する一辺と前記接点バネ（２）が脱離した他方の接点との間の平均距離が、前記ねじれによって前記接触開始点（１ｄ）と前記他方との間の距離に対して増加することを特徴とする請求項１記載の同軸形伝送線路。
【請求項３】
前記溝（６）は、十字状に形成され、
前記接点バネ（２）は、前記溝（６）の十字の交差部を中心として対向するように載置された第一の接点バネ（２ａ）と第二の接点バネ（２ｂ）からなり、
前記第一の接点（１ａ）と前記第二接点（１ｂ）は、前記第一の接点バネ（２ａ）と第二の接点バネ（２ｂ）が載置された溝（６）に対し直角に交差する溝内かつ十字の交差部を中心として対向するように載置され、
前記第一の接点バネ（２ａ）と前記第二の接点バネ（２ｂ）が交互に異なる前記第一の接点（１ａ）または前記第二の接点（１ｂ）に接触することを特徴とする請求項１もしくは請求項２記載の同軸形伝送線路。
【発明の詳細な説明】
【技術分野】
【０００１】
本発明は、高周波切り替えスイッチや高周波リレーに用いられ、中心導体の一部である接点バネが撓曲して電気信号回路の基端となる接点に接離することによって電気信号回路を切り替え、高周波信号の出力先や入力元を切り替えたり、高周波信号の短絡、開放、終端など電気的な処理をする同軸形伝送線路に関するものである。（回路図は図４を参照）
【背景技術】
【０００２】
例えば、高周波信号測定器の入力段、あるいは高周波信号発生器の出力段には、高周波信号の電気信号回路を切り替えるため切り替えスイッチが設けられている。
【０００３】
従来、この種の高周波切り替えスイッチでは、図７（ａ）に示すように、同軸形伝送線路の中心導体の一部となる接点バネ１０２と、第一の接点１０１ａと第二接点１０１ｂ（総称して接点１０１ともいう）を電気信号回路の基端とするそれぞれ異なる電気信号回路が構成され、図７（ｂ）に示したような電磁石１２０の吸引力を押圧力に変換するカード１２１、接点バネ１０２と接触し押圧する接触子１１７からなる押圧手段によって、前記接点バネ１０２を接点１０１に対して接離させ電気信号回路を切り替える構造がある。
【０００４】
このような電気信号回路をなす同軸形伝送線路は、図７（ａ）に示したような高周波信号が入力される入力コネクタ１１１、高周波信号の出力先である出力コネクタ１１０、外導体として導電性を有する筐体１０５、さらに筐体には外導体溝１０６が形成され、この外導体溝内には板状に形成された中心導体の一部を形成する接点１０１および接点バネ１０２が収容されて形成されている。
【０００５】
接点１０１は、絶縁性の樹脂材などよりなる接点支持部１０７によって挟持されるとともに、該接点支持部１０７が外導体溝１０６に固定され、外導体溝１０６の内壁面と非接触の状態で収容支持されている。
【０００６】
接点バネ１０２は、接点１０１と同様に絶縁性の樹脂材などよりなる接点バネ支持部１０８によって支持され、一端部が自由端とされた、いわゆる片持梁を構成し、常に自らの弾性によって接点１０１に付勢接触されている。
【０００７】
接点１０１および接点バネ１０２を外導体溝１０６内に支持固定した後、外導体溝１０６の開口側から図７（ｂ）に示したような導電性を有する蓋１０９が取り付けられて同軸形伝送線路が構成される。そして、上述した電磁石１２０の動作でカード１２１の一部の作動辺１１７が接点バネ１０２を押圧し、接点バネ１０２が撓曲して第一の接点１０１ａおよび第二の接点１０１ｂと脱離、接触することによって電気信号回路の切断、接続が行われる。
【０００８】
このとき、接点バネ１０２は、脱離した側の第一の接点１０１ａもしくは第二の接点１０１ｂを基端とした切断された電気信号回路との優れたアイソレーションを得るために、電気信号回路の基端となる接点１０１と物理的な距離を十分保つことが要求されており、特開平９−２４６８０２号公報には接点バネの応力集中を改善し撓曲量を増し、接点１０１との間に十分な距離を得て、アイソレーションを改善することが記述されている。
【特許文献１】特開平９−２４６８０２号公報
【発明の開示】
【発明が解決しようとする課題】
【０００９】
上述した従来の同軸形伝送線路は、接点バネ１０２が非接続先の電気信号回路の基端となる非接続側の第一の接点１０１ａ（以下、非接続接点ともいう）から脱離し、接点バネ１０２が他の電気信号回路の基端となる接続先側の第二の接点１０１ｂ（以下、接続先接点ともいう）に接触することによって電気信号回路を切り替える構造となっている。
【００１０】
その場合、非接続接点１０１ａと接続先接点１０１ｂの物理的な接点間の距離を増やすことによって高周波特性の一つの要素であるアイソレーションが改善される。
【００１１】
しかしながら、接続先接点１０１ｂと非接続接点１０１ａの物理的な距離を増やし接点バネ１０２の撓曲量を単に増やすと、接点バネ１０２が非接続接点１０１ａから脱離し接続先接点１０１ｂに最初に接触するまでの移動距離が増加してしまい、結果として、回路の切り替え時間が増加し、同軸形伝送線路に求められる回路の切り替え時間の短縮という点において性能が劣ることになる。
【００１２】
そこで本発明は、上記課題を解消するために、接点バネが接触する接点の接触面に傾きを設け、傾いた接触面に接点バネが接触したとき、接点バネをその傾きに習うように接点バネを接続先接点に最初に接触する接触開始点を基点としてねじれさせることで、接点バネが非接続接点から脱離し接続先接点に最初に接触するまでの移動距離を増加させなくとも、非接続先接点に対する接点バネの先端の幅方向を形成する一辺の平均距離と非接続接点との距離を増加させ、非接続接点と接続先接点間のアイソレーションを改善することができる同軸形伝送線路を提供することを目的としている。
【課題を解決するための手段】
【００１３】
本発明による請求項１の同軸形伝送線路は、外導体に溝６が形成されており、該溝の空間内に中心導体の一部を形成するとともに信号経路を切り替えるための所定の幅を持った板状の接点バネ２と、前記接点バネ２が撓曲可能な所定の長さの自由端２ｃを有するように支持する接点バネ支持部８と、前記接点バネ２の前記自由端２ｃの一部を押圧し前記接点バネ２を撓曲させることで電気信号回路を切り替える押圧手段１８と、前記接点バネ２と接離し第一の電気信号回路の基端となる前記外導体の溝６の空間内にある第一の接点１ａと、前記外導体の溝６の空間内にあり、前記接点バネ２の幅広面を前記第一の接点１ａと挟むように載置され、前記接点バネ２と接離し第二の電気信号回路の基端となる第二の接点１ｂと、前記接点バネ２が前記第一の接点１ａと前記第二の接点１ｂのどちらか一方ずつ接触する同軸形伝送線路において、前記第一の接点１ａまたは前記第二の接点１ｂの少なくとも一方が、前記接点バネ２の幅広面を挟持する前記接点バネ支持部８の接点バネ支持面８ｃを拡張した仮想平面に対して前記接点バネ２の略長さ方向の軸周りに角度を有して前記接点バネ２と接触する接触面１ｃを有しており、前記接点バネ２が前記角度をもつ前記接触面１ｃと最初に接触する接触開始点１ｄを基点として前記角度を持つ接触面１ｃに習って前記接点バネ２の略長さ方向を軸としてねじれを生ずる構成としている。
【００１４】
また、本発明による請求項２の同軸形伝送線路は、請求項１記載の同軸形伝送線路に加え前記接点バネ２が、前記第一の接点１ａまたは前記第二の接点１ｂの前記角度を有する前記接触面１ｃに接触したとき、前記接点バネ２の前記自由端２ｃの先端の幅方向を形成する一辺と前記接点バネ２が脱離した他方の接点との間の平均距離が、前記ねじれによって前記接触開始点１ｄと前記他方との間の距離に対して増加する構成としている。
【００１５】
また、本発明による請求項３の同軸形伝送線路は、請求項１ないし請求項２記載の同軸形伝送線路に加え前記溝６は、十字状に形成され、前記接点バネ２は、前記溝６の十字の交差部を中心として対向するように載置された第一の接点バネ２ａと第二の接点バネ２ｂからなり、前記第一の接点１ａと前記第二接点１ｂは、前記第一の接点バネ２ａと第二の接点バネ２ｂが載置された溝６に対し直角に交差する溝内かつ十字の交差部を中心として対向するように載置され、前記第一の接点バネ２ａと前記第二の接点バネ２ｂが交互に異なる前記第一の接点１ａまたは前記第二の接点１ｂに接触する構成としている。
【発明の効果】
【００１６】
本発明の同軸形伝送線路によれば、接点バネが接続先接点に最初に接触する接触開始点を基点として優れたアイソレーションを保ちたい接点から遠方へ接点バネをねじれさせるため、接点バネが非接続接点から脱離し、接続先接点に最初に接触するまでの距離を増加させなくとも、非接続の接点と前記接点バネの自由端側の先端の幅方向を形成する一辺の平均距離を増加させることができ接点間のアイソレーションを向上できる。
【発明を実施するための最良の形態】
【００１７】
以下、本発明の実施の形態を図面を参照して具体的に説明する。図１（ａ）は、第一の実施の形態の同軸形伝送線路を示す平面図、図１（ｂ）は図１（ａ）のＢ−Ｂ’横断面図、図２（ａ）は図１（ａ）の図示上の左側を拡大した拡大平面図、図２（ｂ）は図２（ａ）のＢ−Ｂ’’横断面図、図３は図１（ａ）のＣ−Ｃ’横断面図、図４は、第一の実施の形態の回路図、図５は第一の実施の形態の接点バネのねじれを斜視図で表した概念図、図６は（ａ）は第２の実施の形態の接点バネのねじれを斜視図で表した概念図、図６（ｂ）は、第２の実施の形態の同軸形伝送線路を示す平面図を示した。なお、図中において同一のものは同一の符号を用いて表している。
【００１８】
本発明の実施の形態の高周波切り替えスイッチの第一の実施の形態について説明する。この高周波切り替えスイッチは、図１（ａ）に示したように外導体としての導電性を有する筐体５に十字状の溝を形成し外導体溝６ａ，６ｂ，６ｃ（以下外導体溝６ａ，６ｂ，６ｃを総称し外導体溝６とも言う）が形成され、この外導体溝６の空間内に、中心導体の一部を形成する第一の接点バネ２ａ、第二の接点バネ２ｂが１対（以下第一の接点バネ２ａと第二の接点バネ２ｂを総称し接点バネ２とも言う）それぞれ接点バネ表面支持部材８ａ（図１（ｂ）参照）と接点バネ裏面支持部材８ｂ（図１（ｂ）参照）からなる接点バネ支持部８（以下表面支持部材８ａと裏面支持部材８ｂを総称して接点バネ支持部８とも言う）によって収容支持されるとともに第一の接点１ａ、第二の接点１ｂ（以下第一の接点１ａと第二の接点１ｂを総称し接点１とも言う）、が接点表面支持部材７ａ（図３参照）と接点裏面支持部材７ｂ（図３参照）からなる接点支持部７（以下表面接点支持部材７ａと裏面接点支持部材７ｂを総称して接点支持部７ともいう）によってそれぞれ収容支持され、外導体溝６の開口側から図１（ｂ）に示したような導電性を有した蓋９が取り付けられて同軸形伝送線路をなしている。
【００１９】
外導体溝６は、筐体５に形成された入力側外導体溝６ａと、該入力側外導体溝６ａの略中央部に連通する出力側外導体溝６ｂと入力された高周波信号を内部処理する終端機能に導く終端側外導体溝６ｃを有して略十字状に形成されている。
【００２０】
次に第一の接点について図１（ａ）の左側を拡大した図２（ａ）を用いて説明する。第一の接点１ａは、所定幅ｂ０を有して長板状に形成され外導体溝６ｂとともに同軸形の伝送線路を形成している。
【００２１】
第一の接点１ａの中程には、接点支持部７が設けられ、接点支持部７は、絶縁性の樹脂部材などよりなる接点表面支持部材７ａと接点裏面支持部材７ｂ（図３参照）によって第一の接点１ａの幅方向の面（幅広面）を挟むように支持して（例えば、接点表面支持部材７ａと接点裏面支持部材７ｂを溶着するなどして一体化して支持する）出力側外導体溝６ｂの内壁面と非接触な状態で出力側外導体溝６ｂ内に配置し、出力コネクタ１０の中心導体１０ａと電気的に接続されて、第一の接点１ａとともに電気信号回路を構成している。
【００２２】
続いて、出力側外導体溝６ｂの側縁に皿ネジ１４が螺合され、皿ネジ１４の円錐形の斜面部分が表面接点支持部材７ａと当接して出力側外導体溝６ｂ内に押さえ固定されるとともに、第一の接点１ａが接点表面支持部材７ａと接点裏面支持部材７ｂの間で挟持され第一の接点１ａが出力側外導体溝６ｂ内に支持される。
【００２３】
このように、出力側外導体溝６ｂ内に支持された第一の接点１ａは、その一端が入力側外導体溝６ａ内に延出されるとともに、他端が筐体５の外部に設けられた出力コネクタ１０の中心導体１０ａに接続されている。
【００２４】
次に、第二の接点１ｂを図２（ａ）を用いて説明する。第二の接点１ｂは、第二の接点１ｂの中程に接点支持部７が設けられ、接点支持部７は、絶縁性の樹脂部材などよりなる接点表面支持部材７ａと接点裏面支持部材７ｂ（図３参照）によって第二の接点１ｂの幅方向の面（幅広面）を挟むように支持して（例えば、接点表面支持部材７ａと接点裏面支持部材７ｂを溶着するなどして一体化して支持する）、第二の接点１ｂを終端側外導体溝６ｃの内壁面と非接触な状態で終端側外導体溝６ｃ内に配置し、入力された高周波信号が反射信号とならないように処理する終端器１９（使用する電気信号回路に合った数値の抵抗器で本実施の形態では50Ωとした）に電気的に接続され第二の接点１ｂとともに、電気信号回路を構成している。
【００２５】
続いて、終端側外導体溝６ｃの側縁に皿ネジ１４が螺合され、皿ネジ１４の円錐形の斜面部分が接点表面支持部材７ａと当接して終端側外導体溝６ｃ内に押さえ固定されるとともに、第二の接点１ｂが第一の接点表面支持部材７ａと接点裏面支持部材７ｂ（図３参照）との間で挟持され第二の接点１ｂが終端側外導体溝６ｃ内に支持される。
【００２６】
このように、終端側外導体溝６ｃ内に支持された第二の接点１ｂは、その一端が入力側外導体溝６ａ内に延出されるとともに、他端が筐体５の内部に設けられた終端器１９に接続されている。
【００２７】
なお、第一の接点１ａおよび第二の接点１ｂの接点表面支持部材７ａと接点裏面支持部材７ｂに挟持されている部分においては、幅可変部として段状に板幅が幅狭ｂ１とされているので、接点表面支持部材７ａと接点裏面支持部材７ｂの誘電率が考慮され、中心導体をなす接点１（接点１は第一の接点１ａと第二の接点１ｂの総称）の特性インピーダンスが一定に保持されている。
さらにいうと、前述した幅可変部は、段状としたが接点支持部７の近傍においては樹脂部材などの誘電率の影響を考慮し、傾斜や曲線を用いて徐々に板幅を変化させても良い。
【００２８】
次に接点バネ２を図１（ａ）を用いて説明する。接点バネ２は、接点バネ２の中程に接点バネ支持部８が設けられ、接点バネ支持部８は、絶縁性の樹脂部材などよりなる接点バネ表面支持部材８ａと接点バネ裏面支持部材８ｂ（図１（ｂ）参照）によって接点バネ２の幅方向の面（幅広面）を挟むように支持して（例えば、接点バネ表面支持部材８ａと接点バネ裏面支持部材８ｂを溶着するなどして一体化して支持する）、入力側外導体溝６ａの内壁面と非接触な状態で終端側外導体溝６ａ内に配置されている。
【００２９】
また、接点バネ２の幅について図２（ａ）を用いて説明する。接点バネ２は、所定幅ｂ０を有して長板状に形成されており、接点バネ表面支持部材８ａと接点バネ裏面支持部材８ｂに挟持されている部分においては、幅可変部としての段状に板幅が幅狭ｂ１に形成されているので接点バネ表面支持部材８ａと接点バネ裏面支持部材８ｂの誘電率が考慮され、中心導体をなす接点バネ２の特性インピーダンスが一定に保持されている。さらにいうと、前述した幅可変部は、段状としたが接点バネ支持部8の近傍においては樹脂部材などの誘電率の影響を考慮し、傾斜や曲線を用いて徐々に板幅を変化させても良い。
【００３０】
そして、接点バネ表面支持部材８ａと接点バネ裏面支持部材８ｂにて、接点バネ２の幅狭ｂ１を狭持された状態で、図１（ａ）に示したように各接点バネ２の自由端２ｃを対向させるようにして、入力側外導体溝６ａの内壁面と非接触な状態で第一の接点バネ２ａと第二の接点バネ２ｂが一対で入力側外導体溝６ａ内に配置する。
【００３１】
続いて、図１（ａ）に示したように筐体５の入力側外導体溝６ａの側縁に皿ネジ１４が螺合される。そして、皿ネジ１４の円錐形の斜面部分が接点バネ表面支持部材８ａと当接して接点バネ表面支持部材８ａ、接点バネ裏面支持部材８ｂが入力側外導体溝６ａ内に固定され、接点バネ２が接点バネ表面支持部材８ａ、接点バネ裏面支持部材８ｂの間の接点バネ支持面８ｃ部（図２（ｂ）参照）で挟持され入力側外導体溝６ａ内に片持梁状に支持される。
【００３２】
このように、入力側外導体溝６ａ内に支持された第一の接点バネ２ａ、第二の接点バネ２ｂは、それぞれ自由端２ｃが自らのバネ弾性によって常に第二の接点1ｂに付勢接触されるとともに、図１（ａ）に示したように第一の接点バネは２ａは筐体５の外部に設けられた第一の入力コネクタ１１の中心導体１１ａに、第二の接点バネ２ｂは、第二の入力コネクタ１２の中心導体１２ａとそれぞれ電気的に接続されている。
【００３３】
また、皿ネジ１４と接点支持部７によって接点を外導体溝内に支持し、皿ネジ１４と接点バネ支持部８によって接点バネ２を外導体溝内に支持することについては説明したが、接点表面支持部７ａおよび接点バネ表面支持部８ａの皿ネジ１４当接部分にはＶ字状の切欠１５（図２（ａ）参照）が設けられていて、接点１および接点バネ２を各外導体溝６に配置する際に、切欠１５と筐体５の皿ネジ１４取付部とを合わせることによって接点支持部７および接点バネ支持部８の位置決めが容易となる。
【００３４】
さらに、切欠１５によって接点表面支持部７ａおよび接点バネ表面支持部８ａと皿ネジ１４の斜面部分との接触面積を大きく取れるので、接点支持部７および接点バネ支持部８の固定を確実にでき、接点１および接点バネ２の押さえ固定を確実にすることができる。また、接点支持部７および接点バネ支持部８の外形を外導体溝の側面および底面に習わせることで接点１および接点バネ２の位置決めを精度良く行うことができる。
【００３５】
なお、ここまで接点支持部７および接点バネ支持部８は、必ずしも同じ必要はなく形状や、材質を変えることもできる。その場合は、接点支持部７、接点バネ支持部８の形状および誘電率、外導体溝６ａ，６ｂ、６ｃの形状などを考慮し接点バネ２の所定幅ｂ０と幅狭ｂ１、接点１の所定幅ｂ０と幅狭ｂ１は、それぞれ所望のインピーダンスになるように決定することが望ましい。
【００３６】
ところで、図２（ｂ）で示したように筐体５の外導体溝６ａの開口部反対側（図２（ｂ）では下方）には、接点バネ２それぞれに押圧手段１８が載置されている。押圧手段１８は、電磁石２０、カード２１、接極子１６および作動片１７で形成されている。棒状に形成された作動片１７はカード２１に固定されているとともに筐体５の外導体開口部の反対側より入力側外導体６ａ内に挿通されて接点バネ２の自由端２ｃ側の一部をそれぞれ押圧自在とする。
【００３７】
本実施の形態の接点バネ２は、押圧手段１８が押圧していない状態のとき、第一の接点１ｂに接するようにあらかじめ塑性変形状態で曲げられている。この曲げはなくても良いが、本実施の形態では曲げることで一定の接触圧を得るような構成になっている。そして、一方の電磁石２０が通電されることにより、図１（ｂ）の如く接極子１６にカード２１が吸引され、これに伴いカード２１に固定された作動片１７が接点バネ２の自由端２ｃ側の一部を押圧することにより、接点バネ２の自由端２ｃが第二の接点１ｂから脱離され、第一の接点１ａに接触することで電気信号回路が切り替わる。なお、第一の接点バネ２ａが第一の接点１ａに接触し、第二の接点バネ２ｂが第二の接点１ｂに接触するなど、第一の接点バネ２ａ、第二の接点バネ２ｂがそれぞれ接触する第一の接点１ａもしくは第二の接点１ｂの組合せを変えることによって異なる電気信号回路を構成することができる。
【００３８】
次に、図５を用いて、接点１ｂの接触面の傾きと接点バネ２ｂのねじれについて説明する。まず、接点１ｂの接触面の傾きについてであるが、本実施の形態によると接点バネ２ｂと接触する第二の接点１ｂの接触面１ｃが、接点バネ２ｂを支持する接点バネ支持部８の接点バネ支持面８ｃを拡張した仮想平面に対して、前記接点バネの略長さ方向の軸周りに、図５では第２の接点１ｂの先端（接触面１ｃ方向側）に向かうほど下方に角度を有している。
【００３９】
本実施の形態では、第二の接点１ｂを狭持する一部品である接点支持部材７ｂと当接する終端側外導体溝６ｃの底部６ｄに約３度の傾斜（図３を参照）を設け、支持部７を該傾斜に習わせることによって第二の接点１ｂの接触面１ｃに角度を設けた。
【００４０】
次に、接点バネ２のねじれについて説明する。接点バネ２ｂは、第二の接点１ｂと角度を持つ接触面１ｃに接触するが、図３で示した本実施の形態の接点バネ２ｂが第二の接点１ｂと最初に接触する接触開始点１ｄと第一の接点１ａとの距離ｄ０は、図８に示した従来の配置の接点バネ２ｂが第二の接点１ｂと接触開始点１ｄとの距離ｄ３と同じとなるように第二の接点１ｂを載置した。このことは接点バネ２ｂが第一の接点１ａから接離し、第二の接点１ｂに接続するまでの物理的な移動距離を増加させないことになるので切り替えスイッチの動作時間の増加を防ぐ効果がある。なお、前述した角度は、角度を持つ第二の接点１ｂに接点バネ２ｂが接触し、接点バネ２ｂがねじれた場合に接点バネが塑性変形しない程度のものである。
【００４１】
図５に示したように第二の接点１ｂの接触面１ｃには角度が設けられているが、接点バネ２ｂが第二の接点１ｂの接触面１ｃに接触すると接点バネ２ｂが接触面１ｃの角度に習うように、第二の接点１ｂと接触開始点１ｄを基点とした接点バネ２の長さ方向を軸として図５に示したようなねじれ（従来の接点バネ２にねじれがない状態については図９を参照）が発生し、図３に示したｄ１だけ距離が増加して他方の第一の接点１ａと接点バネ２ｂの先端の幅方向を形成する一辺との平均距離が増加する。結果として、接点バネ２の自由端２ｃの一部が脱離した第一の接点１ａを基端とした電気信号回路から離れる方向に動くことになり、第一の接点１ａを基端とした電気信号回路と第二の接点１ｂを基端とした電気信号回路との間のアイソレーションが従来の同軸形伝送線路と同じ部品点数であっても改善されることになる。
【００４２】
ここまで、十字上状の外導体溝内に接点バネ２と第一の接点１ａ、第二の接点１ｂが交差するように載置した実施形態で説明をしてきたが、別の実施形態を示す概念図を図６（ａ）に示した。
第一の接点１ａと第二の接点２ｂは、接点バネ２ｂの略長さ方向の軸上に接点バネ２ｂの幅広面を挟むように載置する。接点バネ２ｂと接触する第二の接点１ｂの接触面１ｃは、接点バネ２ｂを支持する接点バネ支持部８の接点バネ支持面８ｃを拡張した仮想平面に対して、接点バネ２ｂの略長さ方向の軸周りに、接点バネ２ｂ側から見たとき第二の設定１ｂが時計回り方向に角度を有するように角度有するように固定する。このような構成とすることで第一の実施の形態と同様に、接点バネ２ｂを接触面１ｃの角度に習わせてねじれを生じさせることができる。なお、図６（ｂ）上で左側に位置するコネクタ１０は第一の接点１ａに接続され、第二の接点１ｂは図６（ｂ）上で示さないが終端処理され電気信号回路を構成している。
【００４３】
このような構成としたことで、同軸型伝送路の外導体溝を直線に形成し、外導体溝内に接点バネ２ｂと第一の接点１ａ、第二の接点を直線状に載置し（図６（ｂ）参照）、第一の接点１ａと第二の接点１ｂが接点バネ２ｂの幅広面を挟んで（図６（ａ）では上下方向）同一方向に電気信号回路を導出するように載置できる。図６（ｂ）では図示しないが、第一の接点１ａと第二の接点１ｂはの電気的な接続先はそれぞれコネクタ接続先はなお、このような接点構造を持つ同軸型伝送路では、第一の接点１ａと第二の接点１ｂとの間に高周波におけるアイソレーションを改善するために金属等の部材によりシールド構造を持たせると良い。
【産業上の利用可能性】
【００４４】
以上のように本発明の同軸形伝送線路によれば、接点バネが接点と接触を始める接触開始点と脱離した他方の接点との間の距離を増やさず、すなわち、電気信号回路の切り替え時間を増やすことなくアイソレーションが改善され、非接続先の電気信号回路との電気的な干渉が減るという効果を有し、高速応答かつ高アイソレーションが求められる高周波切り替えスイッチや高周波リレーに有用である。
【図面の簡単な説明】
【００４５】
【図１】（ａ）第一の実施の形態の同軸形伝送線路を示す平面図          （ｂ）図１（ａ）のＢ−Ｂ’横断面図
【図２】（ａ）図１（ａ）の図示上の左側を拡大した拡大平面図          （ｂ）図２（ａ）のＢ−Ｂ’’横断面図
【図３】図１（ａ）のＣ−Ｃ’横断面図
【図４】第一の実施の形態の回路図
【図５】第一の実施の形態の接点バネのねじれを斜視図で表した概念図
【図６】（ａ）第２の実施の形態の接点バネのねじれを斜視図で表した概念図            （ｂ）第２の実施の形態の同軸形伝送線路を示す平面図
【図７】（ａ）従来の同軸形伝送線路の平断面図          （ｂ）図７（ａ）のＢ−Ｂ’横断面図
【図８】図７（ａ）のＣ−Ｃ’横断面図
【図９】従来の同軸形伝送線路接点バネにねじれがない状態を示す斜視図
【符号の説明】
【００４６】
１０１  接点
１０１ａ  第一の接点
１０１ｂ  第二の接点
１０２  接点バネ
１０５  筐体
１０６  外導体溝
１０７  接点支持部
１０８  接点バネ支持部
１０９  蓋
１１０  出力コネクタ
１１１  入力コネクタ
１１７  作動辺
１２０  電磁石
１２１  カード
１  接点
１ａ  第一の接点
１ｂ  第二の接点
１ｃ  接触面
１ｄ  接触開始点
２  接点バネ
２ａ  第一の接点バネ
２ｂ  第二の接点バネ
２ｃ  自由端
５  筐体
６  外導体溝
６ａ  入力側外導体溝
６ｂ  出力側外導体溝
６ｃ  終端側外導体溝
６ｄ  終端側外導体溝底部
７  接点支持部
７ａ  接点表面支持部材
７ｂ  接点裏面支持部材
８  接点バネ支持部
８ａ  接点バネ表面支持部材
８ｂ  接点バネ裏面支持部材
８ｃ  接点バネ支持面
９  蓋
１０  出力コネクタ
１０ａ  中心導体
１１  第一の入力コネクタ
１１ａ  中心導体
１２  第二の入力コネクタ
１２ａ  中心導体
１４  皿ネジ
１５  切欠
１６  接極子
１７  作動辺
１８  押圧手段
１９  終端器
２０  電磁石
２１  カード
【図１】
2008199404.tif 000003
【図２】
2008199404.tif 000004
【図３】
2008199404.tif 000005
【図４】
2008199404.tif 000006
【図５】
2008199404.tif 000007
【図６】
2008199404.tif 000008
【図７】
2008199404.tif 000009
【図８】
2008199404.tif 000010
【図９】
2008199404.tif 000011